(57)【要約】      （修正有）【課題】用途が異なる画像を撮像する撮像部を適切な配置で設けた撮像表示ユニットを提供することを目的の一つとする。【解決手段】車両に搭載される撮像表示ユニット４６０であって、画像を表示する表示部４６３と、前記車両の乗員を撮像する第１の撮像部４６４であって、前記乗員の状態監視に用いられる画像を撮像する第１の撮像部４６４と、前記車両の乗員を撮像する第２の撮像部４６５であって、前記表示部４６３により表示される画像と連携したサービスに用いられる画像を撮像する第２の撮像部４６５と、をユニット内に配置したものである。【選択図】図７
2018203014.tif 000002
【特許請求の範囲】
【請求項１】
車両に搭載される撮像表示ユニットであって、
画像を表示する表示部と、
前記車両の乗員を撮像する第１の撮像部であって、前記乗員の状態監視に用いられる画像を撮像する第１の撮像部と、
前記車両の乗員を撮像する第２の撮像部であって、前記表示部により表示される画像と連携したサービスに用いられる画像を撮像する第２の撮像部と、
をユニット内に配置した撮像表示ユニット。
【請求項２】
乗員による認識度を前記第１の撮像部と前記第２の撮像部とで異ならせる、
請求項１に記載の撮像表示ユニット。
【請求項３】
前記第１の撮像部は、前記第２の撮像部に比して、前記乗員による認識度が小さくなる形態で設けられる、
請求項２に記載の撮像表示ユニット。
【請求項４】
前記第２の撮像部は、前記乗員が前記表示部を視認している場合に目に入る位置に設けられる、
請求項１から３のうちいずれか１項に記載の撮像表示ユニット。
【発明の詳細な説明】
【技術分野】
【０００１】
本発明は、撮像表示ユニットに関する。
【背景技術】
【０００２】
従来、カメラによって撮像された映像にマイクによって入力された音声を重畳させてテレビ電話の通話映像を生成し、通信ネットワークを介して通話映像を相手先の通話装置へ送信する装置が開示されている（例えば、特許文献１参照）。また、カメラにより撮影された車両の運転席の画像に基づいて、運転者の姿勢崩れを検出し、運転者に姿勢崩れに関する通知を行う運転者監視装置が開示されている（例えば、特許文献２参照）。
【先行技術文献】
【特許文献】
【０００３】
【特許文献１】特開２０１５−２０１６６９号公報
【特許文献２】特開２０１６−３８７９３号公報
【発明の概要】
【発明が解決しようとする課題】
【０００４】
しかしながら、従来の技術では、上記のように撮像された画像の用途が異なる場合における撮像部の態様については考慮されていなかった。
【０００５】
本発明は、このような事情を考慮してなされたものであり、用途が異なる画像を撮像する撮像部を適切な配置で設けた撮像表示ユニットを提供することを目的の一つとする。
【課題を解決するための手段】
【０００６】
（１）：車両に搭載される撮像表示ユニットであって、画像を表示する表示部と、前記車両の乗員を撮像する第１の撮像部であって、前記乗員の状態監視に用いられる画像を撮像する第１の撮像部と、前記車両の乗員を撮像する第２の撮像部であって、前記表示部により表示される画像と連携したサービスに用いられる画像を撮像する第２の撮像部と、をユニット内に配置した撮像表示ユニットである。
【０００７】
（２）：（１）に記載の撮像表示ユニットであって、乗員による認識度を前記第１の撮像部と前記第２の撮像部とで異ならせるものである。
【０００８】
（３）：（１）または（２）に記載の撮像表示ユニットであって、前記第２の撮像部は、前記乗員が前記表示部を視認している場合に目に入る位置に設けられるものである。
【０００９】
（４）：（１）〜（３）に記載の撮像表示ユニットであって、前記第２の撮像部は、前記乗員が前記表示部を視認している場合に目に入る位置に設けられるものである。
【発明の効果】
【００１０】
（１）〜（４）によれば、用途が異なる画像を撮像する撮像部を適切な配置で設けることができる。
【図面の簡単な説明】
【００１１】
【図１】実施形態の車両システム１の構成図である。
【図２】自車位置認識部３２２により走行車線Ｌ１に対する自車両Ｍの相対位置および姿勢が認識される様子を示す図である。
【図３】推奨車線に基づいて目標軌道が生成される様子を示す図である。
【図４】車線変更の際の処理について説明するための図である。
【図５】車線変更の際の処理について説明するための図である。
【図６】自車両ＭにおけるＨＭＩ４００の一例を示す図である。
【図７】第２の表示ユニット４６０の外観の一例を示す図である。
【図８】図７の第２の表示ユニット４６０の８−８方向の断面図である。
【図９】自車両Ｍが手動運転から自動運転が開始され、自動運転による車線変更が実行されるまでの各種場面を示す図である。
【図１０】手動運転時に表示される第１画面ＩＭ１−１および第２画面ＩＭ２−１の一例を示す図である。
【図１１】メインスイッチ４１２が操作されたことで表示される第３画面ＩＭ３−１および第４画面ＩＭ４−１の一例を示す図である。
【図１２】オートスイッチ４１４が操作されたときに、第１の表示部４５０およびＨＵＤ４７０に表示される画面ＩＭ３−２およびＩＭ４−２の一例を示す図である。
【図１３】第２の度合の運転支援中において、第１の表示部４５０およびＨＵＤ４７０に表示される画面の一例を示す図である。
【図１４】自車両Ｍの挙動が変化する前の第１のタイミングにおいて表示される第３画面ＩＭ３−４および第４画面ＩＭ４−４の一例を示す図である。
【図１５】自車両Ｍに対して第３の度合での運転支援を実行し、その後、第３の度合から第２の度合での運転支援を実行するまでの各種場面を示す図である。
【図１６】低速追従走行時に表示される第３画面ＩＭ３−５および第４画面ＩＭ４−５の一例を示す図である。
【図１７】乗員に周辺監視を行わせるために表示される第３画面ＩＭ３−６および第４画面ＩＭ４−６の一例を示す図である。
【図１８】運転支援に関連する切り替えタイミングを示す図である。
【発明を実施するための形態】
【００１２】
以下、図面を参照し、本発明の撮像表示ユニットの実施形態について説明する。実施形態では、車両システムが自動運転（自律運転）可能な自動運転車両に適用されたものとする。自動運転は、乗員による操作を原則として必要としない状態で車両が走行することをいい、運転支援の一種であると考えられる。なお、車両は手動運転により走行することもできる。以下の説明において、「乗員」とは、運転席すなわち運転操作子が設けられたシートに着座した乗員を指すものとする。
【００１３】
本実施形態における運転支援の度合には、例えば、第１の度合と、第２の度合と、第３の度合とを含む。第１の度合の運転支援は、ＡＣＣ（Adaptive Cruise Control System）やＬＫＡＳ（Lane Keeping Assistance System）等の運転支援装置が作動することで運転支援を実行する。第２の度合の運転支援は、第１の度合よりも制御度合が高く、乗員が車両の運転操作子に対する操作を行わずに、車両の加減速または操舵のうち少なくとも一方を自動的に制御して自動運転を実行するが、乗員の周辺監視義務を課す運転支援である。第３の度合の運転支援は、第２の度合よりも制御度合が高く、乗員の周辺監視義務を課さない運転支援である。本実施形態において、第２の度合および第３の度合の運転支援が自動運転に相当する。
【００１４】
［全体構成］
図１は、実施形態の車両制御システムを含む車両システム１の構成図である。車両システム１が搭載される車両（以下、自車両Ｍと称する）は、例えば、二輪や三輪、四輪等の車両であり、その駆動源は、ディーゼルエンジンやガソリンエンジン等の内燃機関、電動機、或いはこれらの組み合わせである。電動機は、内燃機関に連結された発電機による発電電力、或いは二次電池や燃料電池の放電電力を使用して動作する。
【００１５】
車両システム１は、例えば、カメラ１０と、レーダ装置１２と、ファインダ１４と、物体認識装置１６と、通信装置２０と、ナビゲーション装置５０と、ＭＰＵ（Map Positioning Unit）６０と、車両センサ７０と、運転操作子８０と、マスター制御部１００と、運転支援制御部２００と、自動運転制御ユニット３００と、ＨＭＩ（Human Machine Interface）４００と、走行駆動力出力装置５００と、ブレーキ装置５１０と、ステアリング装置５２０と、とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００１６】
カメラ１０は、例えばＣＣＤ（Charge Coupled Device）やＣＭＯＳ（Complementary Metal Oxide Semiconductor）等の固体撮像素子を利用したデジタルカメラである。カメラ１０は、車両システム１が搭載される自車両Ｍの任意の箇所に一つまたは複数が取り付けられる。前方を撮像する場合、カメラ１０は、フロントウインドシールド上部やルームミラー裏面等に取り付けられる。後方を撮像する場合、カメラ１０は、リアウインドシールド上部やバックドア等に取り付けられる。側方を撮像する場合、カメラ１０は、ドアミラー等に取り付けられる。カメラ１０は、例えば、周期的に繰り返し自車両Ｍの周辺を撮像する。カメラ１０は、ステレオカメラであってもよい。
【００１７】
レーダ装置１２は、自車両Ｍの周辺にミリ波等の電波を放射するとともに、物体によって反射された電波（反射波）を検出して少なくとも物体の位置（距離および方位）を検出する。レーダ装置１２は、自車両Ｍの任意の箇所に一つまたは複数が取り付けられる。レーダ装置１２は、ＦＭＣＷ（Frequency Modulated Continuous Wave）方式によって物体の位置および速度を検出してもよい。
【００１８】
ファインダ１４は、照射光に対する散乱光を測定し、対象までの距離を検出するＬＩＤＡＲ（Light Detection and Ranging、或いはLaser Imaging Detection and Ranging）である。ファインダ１４は、自車両Ｍの任意の箇所に一つまたは複数が取り付けられる。
【００１９】
物体認識装置１６は、カメラ１０、レーダ装置１２、およびファインダ１４のうち一部または全部による検出結果に対してセンサフュージョン処理を行って、物体の位置、種類、速度等を認識する。物体認識装置１６は、認識結果を運転支援制御部２００および自動運転制御ユニット３００に出力する。
【００２０】
通信装置２０は、例えば、セルラー網やＷｉ−Ｆｉ網、Ｂｌｕｅｔｏｏｔｈ（登録商標）、ＤＳＲＣ（Dedicated Short Range Communication）等を利用して、自車両Ｍの周辺に存在する他車両と通信し、或いは無線基地局を介して各種サーバ装置と通信する。また、通信装置２０は、車外の人物が所持する端末装置と通信する。
【００２１】
ナビゲーション装置５０は、例えば、ＧＮＳＳ（Global Navigation Satellite System）受信機５１と、ナビＨＭＩ５２と、経路決定部５３とを備え、ＨＤＤ（Hard Disk Drive）やフラッシュメモリ等の記憶装置に第１地図情報５４を保持している。ＧＮＳＳ受信機は、ＧＮＳＳ衛星から受信した信号に基づいて、自車両Ｍの位置を特定する。自車両Ｍの位置は、車両センサ７０の出力を利用したＩＮＳ（Inertial Navigation System）によって特定または補完されてもよい。ナビＨＭＩ５２は、表示装置、スピーカ、タッチパネル、キー等を含む。ナビＨＭＩ５２は、後述するＨＭＩ４００と一部または全部が共通化されてもよい。経路決定部５３は、例えば、ＧＮＳＳ受信機５１により特定された自車両Ｍの位置（或いは入力された任意の位置）から、ナビＨＭＩ５２を用いて乗員により入力された目的地までの経路（例えば、目的地まで走行するときの経由地に関する情報を含む）を、第１地図情報５４を参照して決定する。第１地図情報５４は、例えば、道路を示すリンクと、リンクによって接続されたノードとによって道路形状が表現された情報である。第１地図情報５４は、道路の曲率やＰＯＩ（Point Of Interest）情報等を含んでもよい。経路決定部５３により決定された経路は、ＭＰＵ６０に出力される。また、ナビゲーション装置５０は、経路決定部５３により決定された経路に基づいて、ナビＨＭＩ５２を用いた経路案内を行ってもよい。なお、ナビゲーション装置５０は、例えば、ユーザの保有するスマートフォンやタブレット端末等の端末装置の機能によって実現されてもよい。また、ナビゲーション装置５０は、通信装置２０を介してナビゲーションサーバに現在位置と目的地を送信し、ナビゲーションサーバから返信された経路を取得してもよい。
【００２２】
ＭＰＵ６０は、例えば、推奨車線決定部６１として機能し、ＨＤＤやフラッシュメモリ等の記憶装置に第２地図情報６２を保持している。推奨車線決定部６１は、ナビゲーション装置５０から提供された経路を複数のブロックに分割し（例えば、車両進行方向に関して１００［ｍ］毎に分割し）、第２地図情報６２を参照してブロックごとに推奨車線を決定する。推奨車線決定部６１は、左から何番目の車線を走行するといった決定を行う。推奨車線決定部６１は、経路において分岐箇所や合流箇所等が存在する場合、自車両Ｍが、分岐先に進行するための合理的な走行経路を走行できるように、推奨車線を決定する。
【００２３】
第２地図情報６２は、第１地図情報５４よりも高精度な地図情報である。第２地図情報６２は、例えば、車線の中央の情報あるいは車線の境界の情報等を含んでいる。また、第２地図情報６２には、道路情報、交通規制情報、住所情報（住所・郵便番号）、施設情報、電話番号情報等が含まれてよい。道路情報には、高速道路、有料道路、国道、都道府県道といった道路の種別を表す情報や、道路の車線数、非常駐車帯の領域、各車線の幅員、道路の勾配、道路の位置（経度、緯度、高さを含む３次元座標）、車線のカーブの曲率、車線の合流および分岐ポイントの位置、道路に設けられた標識等の情報が含まれる。第２地図情報６２は、通信装置２０を用いて他装置にアクセスすることにより、随時、アップデートされてよい。
【００２４】
車両センサ７０は、自車両Ｍの速度を検出する車速センサ、加速度を検出する加速度センサ、鉛直軸回りの角速度を検出するヨーレートセンサ、自車両Ｍの向きを検出する方位センサ等を含む。
【００２５】
運転操作子８０は、例えば、アクセルペダル、ブレーキペダル、シフトレバー、ステアリングホイールその他の操作子を含んでよい。運転操作子８０には、操作量あるいは操作の有無を検出するセンサが取り付けられており、その検出結果は、マスター制御部１００、運転支援制御部２００、自動運転制御ユニット３００、もしくは、走行駆動力出力装置５００、ブレーキ装置５１０、およびステアリング装置５２０のうち、何れか一つまたは複数に出力される。
【００２６】
［各種制御装置］
車両システム１は、制御系の構成の一部として、例えば、マスター制御部１００と、運転支援制御部２００と、自動運転制御ユニット３００とを備える。なお、マスター制御部１００は、運転支援制御部２００または自動運転制御ユニット３００のどちらかに統合されてもよい。
【００２７】
［マスター制御部］
マスター制御部１００は、運転支援の度合の切り替えと、それに関連するＨＭＩ４００の制御等を行う。マスター制御部１００は、例えば、切替制御部１１０と、ＨＭＩ制御部１２０と、操作子状態判定部１３０と、乗員状態監視部１４０とを備える。切替制御部１１０、ＨＭＩ制御部１２０、操作子状態判定部１３０、および乗員状態監視部１４０は、それぞれ、ＣＰＵ（Central Processing Unit）等のプロセッサがプログラムを実行することで実現される。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００２８】
切替制御部１１０は、例えば、ＨＭＩ４００に含まれる所定のスイッチ（例えば後述するメインスイッチおよびオートスイッチ）から入力される操作信号に基づいて運転支援の状態を切り替える。また、切替制御部１１０は、例えば、アクセスペダルやブレーキペダル、ステアリングホイール等の運転操作子８０に対する加速、減速または操舵を指示する操作に基づいて、運転支援をキャンセルして手動運転に切り替えてもよい。切替制御部１１０の機能の詳細については後述する。
【００２９】
なお、切替制御部１１０は、行動計画生成部３２３により生成される行動計画に基づいて、運転支援の度合を切り替えてもよい。例えば、切替制御部１１０は、自動運転の終了予定地点で、運転支援を終了するようにしてもよい。
【００３０】
ＨＭＩ制御部１２０は、運転支援の度合の切り替えに関連する通知等を、ＨＭＩ４００に出力させる。また、ＨＭＩ制御部１２０は、操作子状態判定部１３０または乗員状態監視部１７０の一方または双方による判定結果に関する情報を、ＨＭＩ４００に出力させてもよい。また、ＨＭＩ制御部１２０は、ＨＭＩ４００により受け付けられた情報を自動運転制御ユニット３００に出力してもよい。ＨＭＩ制御部１２０の機能の詳細については後述する。
【００３１】
操作子状態判定部１３０は、例えば、運転操作子８０に含まれるステアリングホイールが操作されている状態（具体的には、現に意図的な操作を行っている場合、直ちに操作可能な状態、または把持状態を指すものとする）であるか否かを判定する。操作子状態判定部１３０の機能の詳細については後述する。
【００３２】
乗員状態監視部１４０は、後述する第２の表示ユニット４６０に含まれる第１の撮像部４６４の撮像画像に基づいて、自車両Ｍの少なくとも運転席に着座した乗員の状態を監視する。乗員状態監視部１４０は、例えば、当該乗員が自車両Ｍの周囲を監視しているか否かを判定する。乗員状態監視部１４０の機能の詳細については後述する。
【００３３】
［運転支援制御部］
運転支援制御部２００は、第１の度合の運転支援を実行する。運転支援制御部２００は、例えば、ＡＣＣやＬＫＡＳその他の運転支援制御を実行する。例えば、運転支援制御部２００は、ＡＣＣを実行する際には、カメラ１０、レーダ装置１２、およびファインダ１４から物体認識装置１６を介して入力される情報に基づいて、自車両Ｍと、前走車両との車間距離を一定に保った状態で走行するように走行駆動力出力装置５００およびブレーキ装置５１０を制御する。すなわち、運転支援制御部２００は、前走車両との車間距離に基づく加減速制御（速度制御）を行う。また、運転支援制御部２００は、ＬＫＡＳを実行する際には、自車両Ｍが、現在走行中の走行車線を維持（レーンキープ）しながら走行するようにステアリング装置５２０を制御する。すなわち、運転支援制御部２００は、車線維持のための操舵制御を行う。第１の度合の運転支援の種類に関しては、運転操作子８０への操作を要求しない自動運転（第２の度合および第３の度合）以外の種々の制御を含んでよい。
【００３４】
［自動運転制御ユニット］
自動運転制御ユニット３００は、第２の度合および第３の度合の運転支援を実行する。自動運転制御ユニット３００は、例えば、第１制御部３２０と、第２制御部３４０とを備える。第１制御部３２０と、第２制御部３４０とは、それぞれ、ＣＰＵ等のプロセッサがプログラムを実行することで実現される。また、これらの各機能部のうち一部または全部は、ＬＳＩやＡＳＩＣ、ＦＰＧＡ等のハードウェアによって実現されてもよいし、ソフトウェアとハードウェアの協働によって実現されてもよい。
【００３５】
第１制御部３２０は、例えば、外界認識部３２１と、自車位置認識部３２２と、行動計画生成部３２３とを備える。
【００３６】
外界認識部３２１は、カメラ１０、レーダ装置１２、およびファインダ１４から物体認識装置１６を介して入力される情報に基づいて、周辺車両の位置および速度、加速度等の状態を認識する。周辺車両の位置は、その周辺車両の重心やコーナー等の代表点で表されてもよいし、周辺車両の輪郭で表現された領域で表されてもよい。周辺車両の「状態」とは、周辺車両の加速度やジャーク、あるいは「行動状態」（例えば車線変更をしている、またはしようとしているか否か）を含んでもよい。
【００３７】
また、外界認識部３２１は、上述した周辺車両、障害物（例えば、ガードレールや電柱、駐車車両、歩行者等の人物）、道路形状、その他の物体のうち、少なくとも一つを認識してもよい。
【００３８】
自車位置認識部３２２は、例えば、自車両Ｍが走行している車線（走行車線）、並びに走行車線に対する自車両Ｍの相対位置および姿勢を認識する。自車位置認識部３２２は、例えば、第２地図情報６２から得られる道路区画線のパターン（例えば実線と破線の配列）と、カメラ１０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００３９】
そして、自車位置認識部３２２は、例えば、走行車線に対する自車両Ｍの位置や姿勢を認識する。図２は、自車位置認識部３２２により走行車線Ｌ１に対する自車両Ｍの相対位置および姿勢が認識される様子を示す図である。自車位置認識部３２２は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置および姿勢として認識する。なお、これに代えて、自車位置認識部３２２は、走行車線Ｌ１の何れかの側端部に対する自車両Ｍの基準点の位置等を、走行車線に対する自車両Ｍの相対位置として認識してもよい。自車位置認識部３２２により認識される自車両Ｍの相対位置は、推奨車線決定部６１および行動計画生成部３２３に提供される。
【００４０】
行動計画生成部３２３は、自車両Ｍが目的地等に対して自動運転を行うための行動計画を生成する。例えば、行動計画生成部３２３は、推奨車線決定部６１により決定された推奨車線を走行するように、且つ、自車両Ｍの周辺状況に対応できるように、自動運転制御において順次実行されるイベントを決定する。実施形態の自動運転におけるイベントには、例えば、一定速度で同じ走行車線を走行する定速走行イベント、低速度（例えば６０［ｋｍ／ｈ］以下）を条件に、前走車両に追従する低速追従イベント、自車両Ｍの走行車線を変更する車線変更イベント、前走車両を追い越す追い越しイベント、合流地点で車両を合流させる合流イベント、道路の分岐地点で自車両Ｍを目的の方向に走行させる分岐イベント、自車両Ｍを緊急停車させる緊急停車イベント等がある。また、これらのイベントの実行中に、自車両Ｍの周辺状況（周辺車両や歩行者の存在、道路工事による車線狭窄等）に基づいて、回避のための行動が計画される場合もある。
【００４１】
行動計画生成部１２３は、自車両Ｍが将来走行する目標軌道を生成する。目標軌道は、自車両Ｍの到達すべき地点（軌道点）を順に並べたものとして表現される。軌道点は、所定の走行距離ごとの自車両Ｍの到達すべき地点であり、それとは別に、所定のサンプリング時間（例えば０コンマ数［ｓｅｃ］程度）ごとの目標速度および目標加速度が、目標軌道の一部として生成される。また、軌道点は、所定のサンプリング時間ごとの、そのサンプリング時刻における自車両Ｍの到達すべき位置であってもよい。この場合、目標速度や目標加速度の情報は軌道点の間隔で表現される。
【００４２】
図３は、推奨車線に基づいて目標軌道が生成される様子を示す図である。図示するように、推奨車線は、目的地までの経路に沿って走行するのに都合が良いように設定される。行動計画生成部３２３は、推奨車線の切り替わり地点の所定距離手前（イベントの種類に応じて決定されてよい）に差し掛かると、車線変更イベント、分岐イベント、合流イベント等を起動する。各イベントの実行中に、障害物を回避する必要が生じた場合には、図示するように回避軌道が生成される。
【００４３】
また、行動計画生成部３２３は、車線変更イベントを起動すると、車線変更のための目標軌道を生成する。図４および図５は、車線変更の際の処理について説明するための図である。まず、行動計画生成部３２３は、自車両Ｍが走行する車線（自車線）Ｌ１に対して隣接する隣接車線であって、車線変更先の隣接車線Ｌ２を走行する周辺車両から２台の周辺車両を選択し、これらの周辺車両の間に車線変更ターゲット位置ＴＡｓを設定する。以下、隣接車線において車線変更ターゲット位置ＴＡｓの直前を走行する周辺車両を前方基準車両ｍＢと称し、隣接車線において車線変更ターゲット位置ＴＡｓの直後を走行する周辺車両を後方基準車両ｍＣと称して説明する。車線変更ターゲット位置ＴＡｓは、自車両Ｍと前方基準車両ｍＢおよび後方基準車両ｍＣとの位置関係に基づく相対的な位置である。
【００４４】
図４の例では、行動計画生成部３２３が車線変更ターゲット位置ＴＡｓを設定した様子を示している。図中、ｍＡは前走車両を表し、ｍＢは前方基準車両を表し、ｍＣは後方基準車両を表している。また、矢印ｄは自車両Ｍの進行（走行）方向を表している。図４の例の場合、行動計画生成部３２３は、隣接車線Ｌ２上において、前方基準車両ｍＢと後方基準車両ｍＣとの間に車線変更ターゲット位置ＴＡｓを設定する。
【００４５】
次に、行動計画生成部３２３は、車線変更ターゲット位置ＴＡｓに（すなわち前方基準車両ｍＢと後方基準車両ｍＣとの間に）車線変更が可能か否かを判定するための一次条件を満たすか否かを判定する。
【００４６】
一次条件は、例えば、隣接車線に設けた禁止領域ＲＡに周辺車両が一部でも存在せず、且つ、自車両Ｍと、前方基準車両ｍＢおよび後方基準車両ｍＣとのＴＴＣがそれぞれ閾値よりも大きいことである。なお、この判定条件は、自車両Ｍの側方に車線変更ターゲット位置ＴＡｓを設定した場合の一例である。一次条件を満たさない場合、行動計画生成部３２３は、車線変更ターゲット位置ＴＡｓを再設定する。この際に、一次条件を満たすような車線変更ターゲット位置ＴＡｓが設定できるタイミングまで待機したり、或いは車線変更ターゲット位置ＴＡｓを変更し、車線変更ターゲット位置ＴＡｓの側方に移動するための速度制御が行われてもよい。
【００４７】
図４に示すように、行動計画生成部３２３は、例えば、自車両Ｍを車線変更先の車線Ｌ２に射影し、前後に若干の余裕距離を持たせた禁止領域ＲＡを設定する。禁止領域ＲＡは、車線Ｌ２の横方向の一端から他端まで延在する領域として設定される。
【００４８】
禁止領域ＲＡ内に周辺車両が存在しない場合、行動計画生成部３２３は、例えば、自車両Ｍの前端および後端を車線変更先の車線Ｌ２側に仮想的に延出させた延出線ＦＭおよび延出線ＲＭを想定する。行動計画生成部３２３は、延出線ＦＭと前方基準車両ｍＢの衝突余裕時間ＴＴＣ（Ｂ）、および延出線ＲＭと後方基準車両ｍＣの衝突余裕時間ＴＴＣ（Ｃ）を算出する。衝突余裕時間ＴＴＣ（Ｂ）は、延出線ＦＭと前方基準車両ｍＢとの距離を、自車両Ｍおよび前方基準車両ｍＢの相対速度で除算することで導出される時間である。衝突余裕時間ＴＴＣ（Ｃ）は、延出線ＲＭと後方基準車両ｍＣとの距離を、自車両Ｍおよび後方基準車両ｍＣの相対速度で除算することで導出される時間である。軌道生成部１１８は、衝突余裕時間ＴＴＣ（Ｂ）が閾値Ｔｈ（Ｂ）よりも大きく、且つ衝突余裕時間ＴＴＣ（Ｃ）が閾値Ｔｈ（Ｃ）よりも大きい場合に、一次条件を満たすと判定する。閾値Ｔｈ（Ｂ）とＴｈ（Ｃ）は同じ値であってもよいし、異なる値であってもよい。
【００４９】
一次条件を満たす場合、行動計画生成部３２３は、車線変更のための軌道の候補を生成する。図５の例では、行動計画生成部３２３は、前走車両ｍＡ、前方基準車両ｍＢおよび後方基準車両ｍＣが所定の速度モデルで走行するものと仮定し、これら３台の車両の速度モデルと自車両Ｍの速度とに基づいて、自車両Ｍが前走車両ｍＡと干渉せずに、将来のある時刻において前方基準車両ｍＢと後方基準車両ｍＣとの間に位置するように軌道の候補を生成する。例えば、行動計画生成部３２３は、現在の自車両Ｍの位置から、将来のある時刻における前方基準車両ｍＢの位置や、車線変更先の車線の中央、且つ車線変更の終了地点までをスプライン曲線等の多項式曲線を用いて滑らかに繋ぎ、この曲線上に等間隔あるいは不等間隔で軌道点Ｋを所定個数配置する。この際、行動計画生成部３２３は、軌道点Ｋの少なくとも１つが車線変更ターゲット位置ＴＡｓ内に配置されるように軌道を生成する。
【００５０】
各種場面において、行動計画生成部３２３は、複数の目標軌道の候補を生成し、その時点で目的地までの経路に適合する最適な目標軌道を選択する。
【００５１】
第２制御部３４０は、例えば、走行制御部３４２を備える。走行制御部３４２は、行動計画生成部３２３によって生成された目標軌道を、予定の時刻通りに自車両Ｍが通過するように、走行駆動力出力装置５００、ブレーキ装置５１０、およびステアリング装置５２０を制御する。
【００５２】
ＨＭＩ４００は、車内の乗員に対して各種情報を提示するとともに、乗員による入力操作を受け付ける。ＨＭＩ４００は、例えば、各種表示装置、発光部、スピーカ、ブザー、タッチパネル、各種操作スイッチ、キー等のうち一部または全部を含む。また、ＨＭＩ４００には、乗員をシートに着座させた状態でシートベルトによって保持するシートベルト装置の一部が含まれてよい。ＨＭＩ４００の機能の詳細については後述する。
【００５３】
走行駆動力出力装置５００は、車両が走行するための走行駆動力（トルク）を駆動輪に出力する。走行駆動力出力装置５００は、例えば、内燃機関、電動機、および変速機等の組み合わせと、これらを制御するＥＣＵ（Electronic Control Unit）とを備える。ＥＣＵは、走行制御部３４２から入力される情報、或いは運転操作子８０から入力される情報に従って、上記の構成を制御する。
【００５４】
ブレーキ装置５１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、走行制御部３４２から入力される情報、或いは運転操作子８０から入力される情報に従って電動モータを制御し、制動操作に応じたブレーキトルクが各車輪に出力されるようにする。ブレーキ装置５１０は、運転操作子８０に含まれるブレーキペダルの操作によって発生させた油圧を、マスターシリンダを介してシリンダに伝達する機構をバックアップとして備えてよい。なお、ブレーキ装置５１０は、上記説明した構成に限らず、走行制御部３４２から入力される情報、或いは運転操作子８０から入力される情報に従ってアクチュエータを制御して、マスターシリンダの油圧をシリンダに伝達する電子制御式油圧ブレーキ装置であってもよい。また、ブレーキ装置５１０は、複数系統のブレーキ装置を備えていてもよい。
【００５５】
ステアリング装置５２０は、例えば、ステアリングＥＣＵと、電動モータとを備える。電動モータは、例えば、ラックアンドピニオン機構に力を作用させて転舵輪の向きを変更する。ステアリングＥＣＵは、走行制御部３４２から入力される情報、或いは運転操作子８０から入力される情報に従って、電動モータを駆動し、転舵輪の向きを変更させる。
【００５６】
なお、手動運転時には、運転操作子８０からの入力情報が、直接的に走行駆動力出力装置５００、ブレーキ装置５１０、およびステアリング装置５２０に出力される。また、運転操作子８０からの入力情報は、自動運転制御ユニット３００を介して走行駆動力出力装置５００、ブレーキ装置５１０、およびステアリング装置５２０に出力されてもよい。走行駆動力出力装置５００、ブレーキ装置５１０、およびステアリング装置５２０の各ＥＣＵは、運転操作子８０等からの入力情報に基づいて、それぞれの動作を行う。
【００５７】
［ＨＭＩ４００の構成］
以下、実施形態のＨＭＩ４００の構成例について説明する。図６は、自車両ＭにおけるＨＭＩ４００の一例を示す図である。ＨＭＩ４００は、例えば、第１の操作部４１０と、第２の操作部４２０と、発光部４３０Ｒ、４３０Ｌと、第３の操作部４４０と、第１の表示部４５０と、第２の表示ユニット４６０と、ＨＵＤ（Head Up Display）４７０とを備える。
【００５８】
第１の操作部４１０、第２の操作部４２０、および発光部４３０Ｒ、４３０Ｌは、運転操作子８０の一つであるステアリングホイール８２に設けられている。また、ステアリングホイール８２には、把持センサ８２Ａが設けられている。把持センサ８２Ａは、例えば、ステアリングホイール８２の周方向に沿うように設けられた静電容量センサである。把持センサ８２Ａは、検出対象の領域に物体が近接または接触したことを、静電容量の変化として検出する。把持センサ８２Ａは、静電容量の変化の度合が閾値以上である場合、所定の検出信号をマスター制御部１００の操作子状態判定部１３０に出力する。この閾値は、例えば、乗員がステアリングホイール８２を把持している場合に生じる静電容量よりも低い値に設定されている。また、把持センサ８２Ａは、閾値以上であるか否かに関わらずに、静電容量を示す検出信号を操作子状態判定部１３０に出力してもよい。
【００５９】
第１の操作部４１０は、例えば、メインスイッチ４１２と、オートスイッチ４１４とを備える。メインスイッチ４１２は、運転支援を開始可能な状態にするためのスイッチである。換言すれば後述する、運転支援を実行する前の準備段階における処理（内部処理）を開始するためのスイッチ、或いは運転支援を開始可能な状態か否かを判定することを可能にするためのスイッチである。
【００６０】
メインスイッチ４１２が操作された場合、自車両Ｍは、自動運転の実行をすぐに開始するのではなく、自動運転を実行する前の準備段階における処理を行う。準備段階における処理とは、例えば、物体認識の処理の開始（具体的にはカルマンフィルタの動作開始等）である。メインスイッチ４１２が操作されて自車両Ｍが自動運転の開始が可能な状態となっている状態で（すなわち操作されてから、ある程度の時間が経過した後）オートスイッチ４１４が操作されると、運転支援のための制御が開始される。すなわち、オートスイッチ４１４は、自動運転の開始が可能な状態において、実際に自動運転を開始させるためのスイッチである。
【００６１】
第２の操作部４２０は、画像付電話機能（テレビ電話機能）の提供を開始させるための操作スイッチ４２２を備える。発光部４３０Ｒ、４３０Ｌは、例えば、ステアリングホイール８２の中央のボス部から環状のリム部に向かって延びるスポーク部に配置される。発光部３３０Ｒは、ＨＭＩ制御部１２０の制御により点灯状態が制御される。
【００６２】
第３の操作部４４０は、例えば、乗員から見て手前側に突出する回動操作部４４２と、スイッチ操作部４４４とを備える。回動操作部４４２は、略円筒状に形成され、軸線回りに回転操作可能である。スイッチ操作部４４４は、回動操作部４４２の周辺や、回動操作部４４２の天面に設けられる。第３の操作部４４０は、回動操作部４４２の回転角度と回転速度を検出するエンコーダ等の図示しない回転センサと、スイッチ操作部４４４の変位を検出する図示しない変位センサとを備え、それぞれのセンサから出力される検出値をマスター制御部１００に出力する。マスター制御部１００に出力される検出値は、後述する第２の表示部４６３の画面に出力される矢印や選択ボタン、確定ボタン等の操作や、入力文字の選択や確定等に用いられる。
【００６３】
また、第３の操作部４４０は、表示画面を指先でタッチすることによって選択や確定操作等を行う、いわゆるタッチパネル式の操作部でもよい。また、第３の操作部４４０には、所定の色で発光可能な発光部４４６が設けられている。
【００６４】
第１の表示部４５０は、例えば、インストルメントパネルにおける運転席の正面付近に設けられ、乗員がステアリングホイール８２の間隙から、或いはステアリングホイール８２越しに視認可能な表示装置である。第１の表示部４５０は、例えば、ＬＣＤ（Liquid Crystal Display）や有機ＥＬ（Electro Luminescence）表示装置等である。第１の表示部４５０には、自車両Ｍの手動運転時または自動運転時の走行に必要な情報、あるいは乗員への指示に関する情報が表示される。手動運転時の自車両Ｍの走行に必要な情報とは、例えば、自車両Ｍの速度、エンジン回転数、燃料残量、ラジエータ水温、走行距離、その他の情報である。一方、自動運転時における自車両Ｍの走行に必要な情報とは、例えば、自車両Ｍの将来の軌道、運転支援の度合、乗員に対する指示等の情報である。
【００６５】
第２の表示ユニット４６０は、インストルメントパネルの中央部に設けられる。図７は、第２の表示ユニット４６０の外観の一例を示す図である。以下、必要に応じてＸＹＺ座標を用いて説明する。例えば、Ｘ方向は、自車両Ｍの中心軸方向であり、Ｙ方向は、自車両Ｍの幅方向であり、Ｚ方向は自車両Ｍの上下方向である。
【００６６】
第２の表示ユニット４６０は、例えば、パネル４６１と、発光部４６２と、第２の表示部４６３と、バイザー部４６３Ａと、左側壁部４６３ＢＬと、右側壁部４６３ＢＲと、底部４６３Ｃと、第１の撮像部４６４と、第２の撮像部４６５と、マイク４６６とを備える。第２の表示ユニット４６０は、特許請求の範囲における「撮像表示ユニット」の一例である。第２の表示ユニット４６０は、例えば４つの壁部（バイザー部４６３Ａ、左側壁部４６３ＢＬ、右側壁部４６３ＢＲ、底部４６３Ｃ）で区画された空間を有する。
【００６７】
パネル４６１は、例えば透明なガラスや樹脂などで形成されている。パネル４６１中央付近、奥側には、第２の表示部４６３が設けられている。第２の表示部４６３は、例えば、例えば、ＬＣＤや有機ＥＬ表示装置等である。第２の表示部４６３には、例えば、ナビゲーション装置５０により出力された経路情報や地図情報が表示されたり、テレビ電話が行われた場合に通話相手の画像などを表示されたりする。また、第２の表示部４６３は、テレビ番組、ＤＶＤによって再生された映像、ダウンロードされた映画の映像等のコンテンツを表示してよい。テレビ電話は、「画像と連携したサービス」の一例である。
【００６８】
以下、パネル４６１において、第２の表示部４６３の表示領域から左右に外れる領域のうち左側（マイナスＹ方向側）の領域を左側領域４６１Ｌと称し、右側（プラスＹ方向側）の領域を右側領域４６１Ｒと称する。左側領域４６１Ｌは、左側に向かうほど、上下方向（プラスマイナスＺ方向）の間隔が狭くなる領域である。また、右側領域４６１Ｒは、右側に向かうほど、上下方向の間隔が狭くなる領域である。
【００６９】
バイザー部４６３Ａ、左側壁部４６３ＢＬ、右側壁部４６３ＢＲ、および底部４６３Ｃは、それぞれ、パネル４６１の外周付近から乗員側に突出するように形成されている。バイザー部４６３Ａは、パネル４６１を上側から覆うように形成される。バイザー部４６３Ａは、左右方向に関して、第２の表示部４６３の表示領域から外れると、下方向に傾斜する。
【００７０】
左側壁部４６３ＢＬおよび右側壁部４６３ＢＲは、それぞれ、左側領域４６１Ｌおよび右側領域４６１Ｒのうちパネル４６１の底部から延出する部分にフィットする形状で形成されている。
【００７１】
第１の撮像部４６４は、パネル４６１の左側領域４６１Ｌの奥側に設けられ、パネル４６１越しに、運転席に着座した乗員を撮像する。乗員による第１の撮像部４６４と第２の撮像部４６５の認識度は異なる。第１の撮像部４６４は、第２の撮像部４６５に比して、自車両Ｍの乗員による認識度が小さくなる形態（乗員に認識されにくい形態）で設けられる。
【００７２】
図８は、図７の第２の表示ユニット４６０の８−８方向の断面図である。図８は、部分的に断面以外のものを含んでいる。左側領域４６１Ｌの進行方向側には、フィルム４６１Ｆが設けられている。以下、左側領域４６１Ｌの進行方向側を内側領域ＡＲと称する。フィルム４６１Ｆは、乗員からは内側領域ＡＲの様子を認識しにくいように光の透過を調整し、内側領域ＡＲからは乗員の様子を認識可能にするフィルムである。なお、フィルムに代えて、パネル４６１において、左側領域４６１Ｌに反射膜が形成されていたり、光の透過を調整する加工がされていたりしてもよい。このように、左側領域４６１Ｌの進行方向側に第１の撮像部４６４が設けられているため、乗員からは第１の撮像部４６４が認識しにくいが、第１の撮像部４６４は乗員の様子を撮像可能である。
【００７３】
第１の撮像部４６４は、例えば、車室内に設置されたシートに着座する乗員（特に、運転席に着座する乗員）の顔を中心に撮像する。第１の撮像部４６４は、ＣＣＤやＣＭＯＳ等の固体撮像素子を利用したデジタルカメラである。第１の撮像部４６４は、例えば、周期的に乗員を撮像する。第１の撮像部４６４により撮像された撮像画像は、マスター制御部１００に出力される。第１の撮像部４６４により撮像された画像は、乗員の状態を監視するために用いられる画像である。
【００７４】
第２の撮像部４６５は、例えば、左側領域４６１Ｌの上側であって、バイザー部４６３Ａに設けられている。第２の撮像部４６５は、乗員が第２の表示部４６３を視認している場合に目に入る位置に設けられる。第２の撮像部４６５は、例えば第２の撮像部４６５のレンズ４６５ｌが乗員によって認識可能な状態で設けられる。第２の撮像部４６５は、乗員の顔を中心に撮像する。第２の撮像部４６５により撮像された画像は、自車両Ｍとは離れた位置に存在する装置に送信される画像である。具体的には、第２の撮像部４６５により撮像された画像は、テレビ電話等に用いられる画像であり、テレビ電話の通話相手により使用される表示部に表示される画像である。
【００７５】
マイク４６６は、右側領域４６１Ｒの上側であって、バイザー部４６３Ａに設けられている。マイク４６６により取得された音声を示す情報は、第２の撮像部４６５により撮像された画像に対応付けられて、自車両Ｍとは離れた位置に存在する装置に送信される画像である。具体的には、マイク４６６により取得された音声を示す情報は、テレビ電話等に用いられる情報であり、テレビ電話の通話相手の音声出力部に出力される情報である。
【００７６】
発光部４６２は、第２表示部４６３の上側であって、バイザー部４６３Ａに設けられている。また、発光部４６２の発光は、バイザー部４６３Ａに遮られずに、乗員により視認可能である。この形態を採用することで、バイザー部４６３Ａが、発光部４６２に差し込む日光等の外光を遮蔽するため、乗員による発光の視認性を向上させることができる。
【００７７】
発光部４６２は、第２の表示部４６３が使用可能である場合に発光するようにＨＭＩ制御部１２０によって制御される。使用可能とは、例えば、第２の操作部４２０が操作されることでテレビ電話機能に関する画面が第２の表示部４６３に表示されたり、第３の操作部４４０の操作によって、映画やテレビ番組に関する画像が第２の表示部４６３に表示されたりすることで、乗員が利用することができる状態である。
【００７８】
上述したように、第１の撮像部４６４は、乗員に認識されにくいように設けられているため、乗員は過剰に第１の撮像部４６４を意識することがない。このため、第１の撮像部４６４は、乗員の自然な状態を撮像することができる。この結果、乗員状態監視部１４０は、乗員の状態をより精度良く監視することができる。また、第２の撮像部４６５は、乗員が容易に認識できるように設けられているため、テレビ電話を利用する場合、視線を向ける方向を容易に認識することができる。このため、車両システム１は、テレビ電話における通話相手とのコミュニケーションを促進させることができる。
【００７９】
このように、第２の表示ユニット４６０は、自車両Ｍの乗員を撮像する第１の撮像部４６４であって、乗員の状態監視に用いられる画像を撮像する第１の撮像部４６４と、自車両Ｍの乗員を撮像する第２の撮像部４６５であって第２の表示部４６３により表示される画像と連携したサービスに用いられる画像を撮像する第２の撮像部４６５とが第２の表示ユニット４６０内に配置されることにより、用途が異なる画像を撮像する撮像部を適切な配置で設けた撮像表示ユニットを提供することができる。
【００８０】
また、上述したように、左側領域４６１Ｌは、左側に向かうほど、上下方向の距離は短くなりように形成されているため、第１の撮像部４６４が設けられる領域が確保されると共に、左側領域４６１Ｌの大きさを抑制させることができる。また、右側領域４６１Ｒは、左側領域４６１Ｌを反転させた対象の領域であり、このようなデザインによって意匠性が向上する。
【００８１】
ＨＵＤ４７０は、例えば、第１の表示部４５０よりも高い位置に配置される。ＨＵＤ４７０は、所定の結像部に映像を投影する。例えば、ＨＵＤ４７０は、例えば、運転席前方のフロントウインドシールドの一部に画像を投影することで、運転席に着座した乗員の眼に虚像を視認させる。ＨＵＤ４７０により投影される画像の表示領域は、第１の表示部４５０における画像の表示領域に比して小さい。これは、ＨＵＤ４７０により投影された画像によって、その先にある現実の物体を乗員が見逃すことを抑制するためである。なお、実施形態では、ＨＵＤ４７０の代わりに、自車両Ｍのフロントウインドシールドを第２の表示部としてもよい。この場合、例えば、インストルメントパネルに組み込まれたＬＥＤ（Light Emitting Diode）を発光させ、フロントウインドシールドでＬＥＤの発光を反射させてもよい。
【００８２】
［自動運転に関連するＨＭＩ４００の表示制御］
次に、自動運転に関連するＨＭＩ４００の表示制御について説明する。なお、以下に示す表示画面におけるレイアウトについては、あくまで一例であり、任意に変更可能である。レイアウトとは、配置、色彩、縮尺、その他をいう。
【００８３】
図９は、自車両Ｍが手動運転から自動運転が開始され、自動運転による車線変更が実行されるまでの各種場面を示す図である。図９の例において、場面（１）は、自車両Ｍが手動運転により一般道路から高速道路に進入する場面である。場面（２）は、自車両Ｍが手動運転から自動運転に切り替わる場面である。場面（３）は、自車両Ｍが自動運転により車線変更を実行する場面である。以下場面（１）〜（３）のそれぞれの場面に対応する表示制御について説明する。
【００８４】
＜場面（１）＞
場面（１）は、例えば、高速道路に進入する前の場面である。この場面では、第１の操作部４１０のメインスイッチ４１２およびオートスイッチ４１４が操作されていないため、運転支援が実行されず、手動運転が行われる。手動運転が行われる場合、ＨＭＩ制御部１２０は、運転席の乗員が運転操作子８０を用いて自車両Ｍを手動運転するために必要な情報を第１の表示部４５０に表示させる。また、ＨＭＩ制御部１２０は、第１の表示部４５０に表示される情報のうち一部の情報をＨＵＤ４７０に表示させる。この場合の画面を図１０に示す。
【００８５】
図１０は、手動運転時に表示される第１画面ＩＭ１−１および第２画面ＩＭ２−１の一例を示す図である。第１画面ＩＭ１−１は、第１の表示部４５０により表示される画面であり、第２画面ＩＭ２−１は、ＨＵＤ４７０により投影されることで乗員の眼に映る画面である。ＨＭＩ制御部１２０は、第１画面ＩＭ１−１に、手動運転時の自車両Ｍの走行に必要な情報として、例えば、自車両Ｍのバッテリ残量、回転速度、シフトポジション、室内気温、走行距離、走行速度、燃料残量等の情報を表示させる。また、ＨＭＩ制御部１２０は、第２画面ＩＭ２−１に、第１画面ＩＭ１−１に表示された画像のうち、速度の情報を、第１画面ＩＭ１−１よりも小さく表示させる。前述したように、ＨＵＤ４７０により投影されることで乗員の眼に映る画像の認識領域は、第１の表示部４５０による画像の表示領域に比して小さい。このため、ＨＭＩ制御部１２０は、第１の表示部４５０に、自車両Ｍの運転支援に関する比較的詳細な第１の情報（詳細情報）を表示させ、ＨＵＤ４７０には、詳細情報よりも簡易な情報であって、運転支援に関する第２の情報（簡易情報）を表示させる。簡易情報とは、例えば、詳細情報に対して情報量が少ない情報である。また、簡易情報とは、表示する項目の種類や数が、詳細情報として表示する項目の種類や数に比して少ない情報であってもよい。また、簡易情報とは、詳細情報として表示する画像に対し、解像度を低下させたり、単純化あるいはデフォルメさせた画像であってもよい。また、第２の情報は、第１の情報のうち、重要度の高い情報や緊急性の高い情報であってもよい。
【００８６】
＜場面（２）＞
場面（２）では、自車両Ｍが高速道路に進入している。ＨＭＩ制御部１２０は、乗員によりメインスイッチ４１２が操作されたことを受け付けると、第１の表示部４５０およびＨＵＤ４７０に表示される画面を変更する。変更後の画面を、図１１に示す。
【００８７】
図１１は、メインスイッチ４１２が操作されたことで表示される第３画面ＩＭ３−１および第４画面ＩＭ４−１の一例を示す図である。第３画面ＩＭ３−１は、第１の表示部４５０により表示される画面であり、第４画面ＩＭ４−１は、ＨＵＤ４７０により投影されることで乗員の眼に映る画面である。以下の図面に示す第３画面ＩＭ３−Ｘ（Ｘは任意の自然数）および第４画面ＩＭ４−Ｘについても同様とする。第３画面ＩＭ３−Ｘおよび第４画面ＩＭ４−Ｘは、運転支援が実行可能な状態および運転支援が実行中の状態において継続的に表示される。
【００８８】
第３画面ＩＭ３−１には、運転支援に関する情報を表示する領域として、周辺検知情報表示領域６００−１、運転支援状態表示領域６２０−１、および運転支援開始操作ガイド領域６４０−１が含まれている。以下、第３画面ＩＭ３−Ｘにおけるそれぞれの領域を周辺検知情報表示領域６００−Ｘ、運転支援状態表示領域６２０−Ｘ、および運転支援開始操作ガイド領域６４０−Ｘと称する。
【００８９】
ＨＭＩ制御部１２０は、周辺検知情報表示領域６００−１に、第２地図情報６２から取得した自車両Ｍの前方の道路形状を示す画像と、自車位置認識部３２２により認識された自車両Ｍを示す画像と、外界認識部３２１により認識された周辺車両ｍを示す画像とを表示させる。
【００９０】
また、ＨＭＩ制御部１２０は、運転支援状態表示領域６２０−１に、自車両Ｍが実行可能な運転支援（自動運転を含む）の状態の候補を示す情報を全て表示させる。図１１の例では、運転支援の状態の候補を示す情報として、「Ａｓｓｉｓｔ」、「Ｈａｎｄｓ  Ｏｆｆ」、「Ｅｙｅｓ  Ｏｆｆ」の３つのインジケータを示す画像６２１が示されている。例えば、それぞれのインジケータ単体で、または複数のインジケータの組み合わせによって、運転支援の度合が表される。
【００９１】
インジケータ「Ａｓｓｉｓｔ」は、自車両Ｍが、ＡＣＣやＬＫＡＳ等の第１の度合で運転支援を実行している、或いは、第１の度合での運転支援に遷移可能な状態であることを示す。第１の度合で運転支援を実行しているか、或いは、第１の度合での運転支援に遷移可能な状態であるかについては、後述する要求動作通知画像６２２によって把握することができる。
【００９２】
インジケータ「Ｈａｎｄｓ  Ｏｆｆ」は、自車両Ｍが、乗員が運転操作子８０に対する操作を行わなくてよいが、乗員に周辺監視義務が課される第２の度合で運転支援を実行している状態、或いは、第２の度合での運転支援に遷移可能な状態であることを示す。第２の度合で運転支援を実行しているか、或いは、第２の度合での運転支援に遷移可能な状態であるかについては、要求動作通知画像６２２によって把握することができる。
【００９３】
インジケータ「Ｅｙｅｓ  Ｏｆｆ」は、自車両Ｍが、乗員が運転操作子８０に対する操作を行わなくてよく、且つ乗員に周辺監視義務も課されない第３の度合で運転支援を実行している状態、或いは、第３の度合での運転支援に遷移可能な状態であることを示す。第３の度合で運転支援を実行しているか、或いは、第３の度合での運転支援に遷移可能な状態であるかについては、要求動作通知画像６２２によって把握することができる。なお、図１１の例では、自車両Ｍの運転支援が実行されていない状態（手動運転状態）を示している。
【００９４】
また、ＨＭＩ制御部１２０は、運転支援状態表示領域６２０−１に、「Ａｓｓｉｓｔ」、「Ｈａｎｄｓ  Ｏｆｆ」、「Ｅｙｅｓ  Ｏｆｆ」の３つのインジケータを示す画像６２１に対応する表示位置で、要求動作通知画像６２２を表示させる。「対応する」とは、横並び、縦並び、対応付けを示すガイドラインがある等、人によって対応関係が認識可能な様をいう。一例として「画像６２１に対応する表示位置」とは、画像６２１に隣接する表示位置であり、画像６２１の表示位置を基準として上下左右の少なくとも一方に数［ｃｍ］以下（例えば、３［ｃｍ］以下）の表示位置を示す。要求動作通知画像６２２は、例えば、乗員が運転操作子８０に対して行う所定の動作を示す画像である。要求動作通知画像６２２は、例えば、運転操作子８０を示す画像と、乗員の所定の部位を示す画像とを含む。要求動作通知画像６２２は、例えば、ステアリングホイール８２と乗員の手との位置関係を模式的に示す画像である。
【００９５】
ＨＭＩ制御部１２０は、第３画面ＩＭ３−１に表示された詳細情報に対して、ＨＵＤ４７０の第４画面ＩＭ４−１に、詳細情報の一部を抜粋した簡易情報を表示させる。ＨＵＤ４７０の第４画面ＩＭ４−１には、第１の表示部４５０の画面ＩＭ３−１に表示される運転支援に関する情報のうち、自車両Ｍの前方の道路形状に関する情報および自車両Ｍの速度を示す情報が表示される。
【００９６】
図１１に示す状態において、乗員によりオートスイッチ４１４が操作されたことを検知すると、マスター制御部１００は、運転支援制御部２００に第１の度合の運転支援を実行させる。また、ＨＭＩ制御部１２０は、第１の表示部４５０およびＨＵＤ４７０に表示させる画面を、例えば図１２に示す画面に変更する。
【００９７】
図１２は、オートスイッチ４１４が操作されたときに、第１の表示部４５０およびＨＵＤ４７０に表示される画面ＩＭ３−２およびＩＭ４−２の一例を示す図である。ＨＭＩ制御部１２０は、実行されている運転支援の度合を示す画像を、他の運転支援の度合を示す画像と識別可能に表示させる。例えば、ＨＭＩ制御部１２０は、第３画面ＩＭ３−２の運転支援状態表示領域６２０−２に、自車両Ｍの運転支援のモード「Ａｓｓｉｓｔ」の画像がハイライト表示させる。これにより、乗員は、第１の度合の運転支援が行われていることを把握することができる。
【００９８】
ここで、ＨＭＩ制御部１２０は、要求動作通知画像６２２として、「Ｈａｎｄｓ  Ｏｆｆ」に対応する運転支援の度合（自動運転）に移行するために必要な動作を乗員に要求する動画像を要求動作通知画像６２２として表示させる。動画像とは、例えば、所定の物体が時間経過に伴って動的に移動する動的オブジェクトを含む画像である。また、動画像には、アニメーションが含まれてよい。
【００９９】
ＨＵＤ４７０の第４画面ＩＭ４−２には、第４画面ＩＭ４−１と同様の情報が表示されている。
【０１００】
また、切替制御部１１０は、オートスイッチ４１４が操作された状態において、第２の度合の運転支援に移行するための諸条件を満たし、且つ、乗員によってステアリングホイール８２が把持さされていない状態であると操作子状態判定部１３０により判定された場合に、自動運転制御ユニット３００に第２の度合の運転支援（すなわち自動運転）を実行させる。
【０１０１】
また、ＨＭＩ制御部１２０は、自動運転制御ユニット３００が第２の度合の運転支援を実行する場合に、第１の表示部４５０およびＨＵＤ４７０に表示する画面を、例えば図１３に示す画面に変更する。
【０１０２】
図１３は、第２の度合の運転支援中において、第１の表示部４５０およびＨＵＤ４７０に表示される画面の一例を示す図である。ＨＭＩ制御部１２０は、運転支援状態表示領域６２０−２に、第２の度合の運転支援に対応した「Ｈａｎｄｓ  Ｏｆｆ」の画像をハイライト表示させる。これにより、乗員は、第２の度合の運転支援が行われていることを把握することができる。
【０１０３】
また、ＨＭＩ制御部１２０は、周辺検知情報表示領域６００−３に、例えば、第２地図情報６２から取得した自車両Ｍの前方の道路形状を示す画像と、自車位置認識部３２２により認識された自車両Ｍを示す画像と、外界認識部３２１により取得した周辺車両ｍを示す画像と、行動計画生成部３２３により生成された自車両Ｍの将来の軌道を示す将来軌道画像６０２とを表示させる。また、ＨＭＩ制御部１２０は、周辺検知情報表示領域６００−３に、第２の度合における運転支援（図では自動走行）を開始するが、乗員に周辺の交通状況を継続して監視させる旨の情報を表示させる。
【０１０４】
マスター制御部１００の乗員状態監視部１４０は、乗員が周辺の交通状況を継続して監視していることを監視する。例えば、乗員状態監視部１４０は、第１の撮像部４６４の撮像画像により運転席に着座する乗員の顔画像を取得し、取得した顔画像から視線方向を取得する。例えば、乗員状態監視部１４０は、ニューラルネットワーク等を利用したディープラーニングによって、第１の撮像部４６４の撮像画像から乗員の視線方向を取得してもよい。例えば、不特定多数の顔画像を解析することで得られた目や鼻、口等の特徴情報や眼球の黒目の位置を入力として、視線方向を出力するように学習させたニューラルネットワークを予め構築しておく。そして、乗員状態監視部１４０は、このニューラルネットワークに自車両Ｍの乗員の顔画像を入力することで、その乗員の視線方向を取得する。
【０１０５】
また、乗員状態監視部１４０は、乗員の視線方向が予め決められた周辺を監視可能な方向の範囲に含まれるか否かにより、乗員が自車両Ｍの周辺監視を行っているか否かを判定する。乗員状態監視部１４０は、乗員の視線方向が予め決められた周辺を監視可能な方向の範囲に含まれていない場合、または乗員の視線方向が取得できなかった場合に、周辺監視を行っていないと判定する。周辺監視を行っていないと判定された場合、ＨＭＩ制御部１２０は、乗員を周辺監視させるために、音声等による警告を行ってもよい。
【０１０６】
また、乗員状態監視部１４０は、乗員の視線方向が予め決められた周辺を監視可能な方向の範囲に含まれている場合に、乗員が周辺監視を行っていると判定する。この場合、自動運転制御ユニット３００は、第２の度合の運転支援を継続する。なお、自車両Ｍの運転支援が開始中である場合、運転支援開始操作ガイド領域６４０−３には、何も表示されない。
【０１０７】
ＨＭＩ制御部１２０は、ＨＵＤ４７０の第４画面ＩＭ４−３に、第４画面ＩＭ４−２と同様の情報に加えて、自車両Ｍの将来の軌道を示す将来軌道画像６０２を表示させる。
【０１０８】
＜場面（３）＞
場面（３）では、自動運転制御ユニット３００は、第２の度合の運転支援による自車両Ｍの車線変更を行う。この場合、ＨＭＩ制御部１２０は、第１の表示部４５０またはＨＵＤ４７０の一方または双方に、運転支援に対応する画面を表示させる。
【０１０９】
図１４は、自車両Ｍの挙動が変化する前の第１のタイミングにおいて表示される第３画面ＩＭ３−４および第４画面ＩＭ４−４の一例を示す図である。ＨＭＩ制御部１２０は、第３画面ＩＭ３−４の周辺検知情報表示領域６００−４に、周辺検知情報表示領域６００−３で表示された内容に加えて、例えば、自車両Ｍが車線変更する方向を示す旨を示す画像６０６を表示させる。図１４の例では、自車両Ｍが走行車線に隣接する右車線に車線変更する画像６０６が表示される。
【０１１０】
次に、場面（４）〜（６）について説明する。図１５は、自車両Ｍに対して第３の度合での運転支援を実行し、その後、第３の度合から第２の度合での運転支援を実行するまでの各種場面を示す図である。図１５の例において、場面（４）は、自車両Ｍが渋滞中の周辺車両ｍに追従することで、自車両Ｍの運転支援が第２の度合から第３の度合に切り替わる場面である。場面（５）は、自車両Ｍが第３の度合の運転支援の一例である低速追従走行を実行している場面である。低速追従走行（ＴＪＰ；Traffic Jam Pilot）とは、所定速度以下で前走車両に追従する制御態様である。所定速度とは、（例えば、６０［ｋｍ／ｈ］以下で）である。低速追従走行は、自車両のＭの速度が所定速度以下であり、且つ前走車両ｍとの車間距離が所定距離（確認）以内であるときに発動する。低速追従走行では、混雑した道路で前走車両に追従するという、比較的容易な制御を継続することで、信頼性の高い自動運転を実現することができる。場面（６）は、自車両Ｍの運転支援が第３の度合から第２の度合に切り替わる場面である。以下場面（４）〜（６）のそれぞれの場面に対応する表示制御について説明する。
【０１１１】
＜場面（４）＞
場面（４）では、自動運転制御ユニット３００は、まだ低速追従走行に至らず、自車両Ｍの加速制御を行っている。この場合、ＨＭＩ制御部１２０は、第１の表示部４５０またはＨＵＤ４７０の一方または双方に、運転支援に対応する画面を表示する。
＜場面（５）＞
場面（５）では、低速追従走行を実行する。この場合、ＨＭＩ制御部１２０は、第１の表示部４５０およびＨＵＤ４７０に、低速追従走行に対応する画面を表示する。
【０１１２】
図１６は、低速追従走行時に表示される第３画面ＩＭ３−５および第４画面ＩＭ４−５の一例を示す図である。ＨＭＩ制御部１２０は、周辺検知情報表示領域６００−５に、第３の度合の運転支援が実行されていることを示す周辺検知画像６１０Ａを表示させる。
【０１１３】
周辺検知画像６１０Ａは、例えば、カメラ１０、レーダ装置１２、ファインダ１４、物体認識装置１６、および外界認識部３２１により、自車両Ｍの周囲の監視が行われていることを示す画像である。周辺検知画像６１０Ａは、例えば、自車両Ｍの中心から外側に向かって波紋が広がっていくようなアニメーションである。
【０１１４】
また、ＨＭＩ制御部１２０は、第３画面ＩＭ３−５の運転支援状態表示領域６２０−５に、自車両Ｍが、乗員の周辺監視義務を課していないことを示すインジケータ「Ｅｙｅｓ  Ｏｆｆ」と、運転操作子８０の操作を必要としないことを示すインジケータ「Ｈａｎｄｓ  ＯＦＦ」の画像をハイライト表示させる。また、ＨＭＩ制御部１２０は、運転支援状態表示領域６２０−５に、カメラ１０、レーダ装置１２、ファインダ１４、物体認識装置１６、および外界認識部３２１により、自車両Ｍの周囲の監視が行われていることを示す画像６２６を表示させる。
【０１１５】
また、ＨＭＩ制御部１２０は、ＨＵＤ４７０の第４画面ＩＭ４−５に、第４画面ＩＭ４−４と同様の情報に加えて、第３の度合の運転支援が実行されていることを示す周辺検知画像６１０Ｂを表示させる。周辺検知画像６１０Ｂは、例えば、自車両Ｍの中心から外側に向かって波紋が広がっていくようなアニメーションである。
【０１１６】
また、乗員に周辺監視義務が課されていない状態において、ＨＭＩ制御部１２０は、第２の表示部４６３が使用可能となった場合に、第２の表示部４６３に設けられた発光部４６２を所定の色で発光するように制御する。乗員に周辺監視義務が課されていない状態において、利用可能となる機能は、例えば、テレビ電話や、エンターテイメント性を有するコンテンツ（映画、テレビ、ＤＶＤに記憶されたコンテンツ）が第２の表示部４６３に表示される機能である。テレビ電話が利用される場合、第２の表示部４６３に、通話相手の画像が表示される。
【０１１７】
例えば、ＨＭＩ制御部１２０は、第２の表示部４６３が使用可能な状態で第３の操作部４４０が操作された場合に、操作内容に対応する画面を第２の表示部４６３に表示させる。また、ＨＭＩ制御部１２０は、第２の表示部４６３が使用可能な状態で、第２の操作部４２０の操作スイッチ４２２が操作された場合に、第２の表示部４６３に通話する相手の画像を表示する。これにより、乗員は、第２の表示部４６３に表示される相手を見ながら通話を楽しむことができる。すなわち、乗員は、テレビ電話を利用することができる。
【０１１８】
＜場面（６）＞
場面（６）では、自動運転制御ユニット３００は、低速追従する前走車両ｍが存在しないため、自車両Ｍを第３の度合から第２の度合の運転支援に切り替える。この場合、ＨＭＩ制御部１２０は、運転支援の度合の変化に基づいて、図１７に示すように、乗員に要求する乗員の監視対象または操作対象を示唆する情報を、第１の表示部４５０またはＨＵＤ４７０の一方または双方に表示させる。
【０１１９】
図１７は、乗員に周辺監視を行わせるために表示される第３画面ＩＭ３−６および第４画面ＩＭ４−６の一例を示す図である。ＨＭＩ制御部１２０は、周辺検知情報表示領域６００−６に、低速追従走行（図では「渋滞追従自動運転」）が終了する旨の情報と、乗員に周辺の交通状況を確認させる旨を示す情報とを表示させる。
【０１２０】
また、ＨＭＩ制御部１２０は、第４画面ＩＭ４−６に、乗員に自車両Ｍの前方を注視させることを要求する前方注視要求画像６５０を表示させる。前方注視要求画像６５０は、自車両Ｍの前方の所定の領域を示す楕円状の領域を含む画像である。また、前方注視要求画像６５０は、円状や矩形状等の所定の形状でもよく、乗員に注意を促すマークや記号文字等の情報でもよい。また、ＨＭＩ制御部１２０は、前方注視要求画像６５０を所定の色で点灯または点滅させる。また、ＨＭＩ制御部１２０は、インストルメントパネルに組み込まれたＬＥＤを発光させ、フロントウインドシールドでＬＥＤの発光を反射させることで、乗員に前方への注視を促してもよい。
【０１２１】
乗員状態監視部１４０は、第１の撮像部４６４の撮像画像により、乗員が周辺監視を行っているか否かを判定する。乗員が周辺監視を行っていると判定された場合、切替制御部１１０は、自動運転制御ユニット３００に、自車両Ｍの運転支援を第３の度合から第２の度合に切り替えさせる。ＨＭＩ制御部１２０は、第１の表示部４５０またはＨＵＤ４７０の一方または双方に、第２の度合による運転支援に対応する画面を表示させる。
【０１２２】
＜運転支援に関連する各種機器または制御の切り替えタイミング＞
ここで、自車両Ｍの運転支援に関連する各種機器または制御の切り替えタイミングについて図を用いて説明する。図１８は、運転支援に関連する各種機器または制御の切り替えタイミングについて説明するための図である。
【０１２３】
図１８では、運転支援に関連する切り替えとして、（Ａ）メインスイッチ４１２のオン／オフ、（Ｂ）オートスイッチ４１４のオン／オフ、（Ｃ）手動運転モード表示のオン／オフ、（Ｄ）運転支援モード表示のオン／オフ、（Ｅ）第１の度合の運転支援のオン／オフ、（Ｆ）ステアリングホイール８２を把持している／把持していない、（Ｇ）第２の度合の運転支援のオン／オフ、（Ｈ）第３の度合の運転支援のオン／オフ、（Ｉ）乗員の運転監視の要／不要の時刻の経過に対する切り替えタイミングを示している。
【０１２４】
時刻Ｔ０では、乗員の手動運転により自車両Ｍが走行している。この場合、メインスイッチ４１２およびオートスイッチ４１４は操作おらず、第１の表示部４５０およびＨＵＤ４７０には、手動運転モードでの画面（第１画面ＩＭ１、第２画面ＩＭ２）が表示される。また、時刻Ｔ０では、自車両Ｍに対する運転支援（第１の度合〜第３の度合）は、実施されておらず、乗員は、ステアリングホイール８２を把持するとともに、周辺監視を行う必要がある。
【０１２５】
時刻Ｔ１では、乗員によりメインスイッチ４１２をオンにする操作が実行されている。この場合、第１の表示部４５０およびＨＵＤ４７０には、運転支援モードでの画面（第３画面ＩＭ３、第４画面ＩＭ４）が表示される。時刻Ｔ１〜Ｔ２までの状態では、運転支援による走行制御は行われておらず、手動運転が継続されている。
【０１２６】
時刻Ｔ２では、乗員によりオートスイッチ４１４をオンにする操作が実行されている。
この場合、マスター制御部１００は、運転支援制御部２００に第１の度合の運転支援を実行させる。ＨＭＩ制御部１２０は、運転支援モード表示において、乗員がステアリングホイール８２から手を離すことで、第２の度合の運転支援が実行されることを示す画像を表示する。
【０１２７】
時刻Ｔ３では、自車両Ｍが第２の度合の運転支援が可能な状態で、乗員がステアリングホイール８２から手を離している。この場合、切替制御部１１０は、運転支援制御部２００による第１の度合の運転支援から自動運転制御ユニット３００による第２の度合の運転支援を実行させる。
【０１２８】
時刻Ｔ４では、例えば、自車両Ｍが低速追従走行を行うことで、第３の度合の運転支援が実行される。この場合、乗員の周辺監視は、不要となる。この際、テレビ電話の利用が可能となり、テレビ電話の利用が開始されると、第２の撮像部４６５は、乗員の撮像を開始する。
【０１２９】
時刻Ｔ５では、第３の度合の運転支援が終了し、第２の度合の運転支援に切り替わる。したがって、乗員の周辺監視が必要になる。また、時刻Ｔ５では、第２の度合の運転支援から手動運転に切り替えるための表示を行う。この場合、ＨＭＩ制御部１２０は、運転支援モード表示において、乗員にステアリングホイール８２を把持させるための情報を表示する。
【０１３０】
時刻Ｔ６では、乗員がステアリングホイール８２を把持する。この場合、切替制御部１１０は、自動運転制御ユニット３００による第２の度合の運転支援から運転支援制御部２００による第１の度合の運転支援に切り替える。また、切替制御部１１０は、第１の度合の運転支援が所定時間経過された後、手動運転に切り替える。
【０１３１】
時刻Ｔ７では、自車両Ｍが手動運転に切り替わっている。この場合、メインスイッチ４１２およびオートスイッチ４１４は、自車両Ｍが手動運転に切り替わるタイミングに対応してオフに切り替わる。
【０１３２】
以上説明した実施形態によれば、自車両Ｍに搭載される撮像表示ユニットであって、画像を表示する第２の表示部４６３と、自車両Ｍの乗員を撮像する第１の撮像部４６４であって、乗員の状態監視に用いられる画像を撮像する第１の撮像部４６４と、自車両Ｍの乗員を撮像する第２の撮像部４６５であって、第２の表示部４６３により表示される画像と連携したサービスに用いられる画像を撮像する第２の撮像部４６５とをユニット内に配置した第２の表示ユニット４６０を備えることにより、用途が異なる画像を撮像する撮像部を適切な配置で設けることができる。
【０１３３】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１３４】
１…車両システム、１０…カメラ、１２…レーダ装置、１４…ファインダ、１６…物体認識装置、２０…通信装置、３０…ＨＭＩ、５０…ナビゲーション装置、６０…ＭＰＵ、７０…車両センサ、８０…運転操作子、４６０…第２の表示ユニット、４６３…第２の表示部、４６４…第１の撮像部、４６５…第２の撮像部
【図１】
2018203014.tif 000003
【図２】
2018203014.tif 000004
【図３】
2018203014.tif 000005
【図４】
2018203014.tif 000006
【図５】
2018203014.tif 000007
【図６】
2018203014.tif 000008
【図７】
2018203014.tif 000009
【図８】
2018203014.tif 000010
【図９】
2018203014.tif 000011
【図１０】
2018203014.tif 000012
【図１１】
2018203014.tif 000013
【図１２】
2018203014.tif 000014
【図１３】
2018203014.tif 000015
【図１４】
2018203014.tif 000016
【図１５】
2018203014.tif 000017
【図１６】
2018203014.tif 000018
【図１７】
2018203014.tif 000019
【図１８】
2018203014.tif 000020